(57)【要約】【課題】複数のレーザダイオードの照射によって同時に複数のホログラムを再生することができるホログラフィック記録媒体及びその製造方法を提供する。【解決手段】ホログラフィック記録媒体１０は、Ｘ軸方向を行及びＹ軸方向を列として２次元アレイ状に配置された複数のホログラムセル１２からなり、各ホログラムセル１２には、Ｙ軸方向から信号光、Ｚ軸方向から参照光を照射して記録層１８にホログラムが形成されてなり、再生時には、各行毎に１つのホログラムセルに対して、レーザダイオードから同時に再生用参照光を照射したときに、行の数だけのＹ軸方向の回折光を得ることができる。【選択図】図１
2005265978.tif 000002
【特許請求の範囲】
【請求項１】
Ｘ軸方向を行及びＹ軸方向を列として２次元アレイ状に配置された複数のホログラムセルからなり、各ホログラムセルは、Ｘ軸方向及びＺ軸方向の一方から再生用参照光を照射したときにＹ軸方向に回折光が発生するようにホログラムが形成され、且つ、Ｙ軸方向に隣接するホログラムセルからの回析光を透過するように構成されていることを特徴とするホログラフィック記録媒体。
【請求項２】
請求項１において、
前記ホログラムセルは記録層を有し、この記録層は、前記Ｘ軸方向に沿って形成され、且つ、Ｙ軸方向及びＺ軸方向に対し約４５°の角度をなす平面状であることを特徴とするホログラフィック記録媒体。
【請求項３】
請求項１において、
前記ホログラムセルは記録層を有し、この記録層は、前記Ｚ軸方向に沿って形成され、且つ、Ｘ軸方向及びＹ軸方向に対し約４５°の角度をなす平面状であることを特徴とするホログラフィック記録媒体。
【請求項４】
請求項２又は３において、
前記ホログラムセルは、６面体形状であって、断面が直角３角形の３角柱形状の一対の基板と、前記記録層とを有してなり、
前記一対の基板は、直角３角形における斜辺が向き合うように配置され、且つ、前記記録層は、対向する前記斜辺を含む斜面の間に形成されていることを特徴とするホログラフィック記録媒体。
【請求項５】
請求項２又は３において、
頂角が約４５°及び約１３５°とされた平行４辺形断面の、複数の４角柱基板と、前記記録層とを有してなり、
前記４角柱基板は、前記平行４辺形の平行な一対の平面が順次重なるように配置され、前記記録層は、前記重なる平面の間に配置されていることを特徴とするホログラフィック記録媒体。
【請求項６】
請求項５において、
断面が直角２等辺３角形の２枚の３角柱基板を有してなり、前記複数の４角柱基板を、前記記録層が平行になるように連結された連結体の両端面の記録層を、前記直角２等辺３角形の斜辺を含む斜面と、前記４角柱基板の平面との間に挟み込むように、前記３角柱基板が取り付けられていることを特徴とするホログラフィック記録媒体。
【請求項７】
請求項４において、
前記基板は、断面が直角２等辺３角形状とされ、３角柱の軸方向の長さと、前記直角二等辺３角形における直交する２辺の長さとが等しくされていることを特徴とするホログラフィック記録媒体。
【請求項８】
請求項５及び６において、
全体が６面体形状であり、前記４角柱基板の長さ方向両端面により、前記６面体の一対の端面が構成されていることを特徴とするホログラフィック記録媒体。
【請求項９】
請求項１乃至８のいずれかにおいて、
前記各ホログラムセルに、予め情報がホログラフィック記録されてから、一体に組立てられていることを特徴とするホログラフィック記録媒体。
【請求項１０】
請求項１乃至９のいずれかにおいて、
前記ホログラフィック記録媒体の外周における少なくとも記録及び再生時の光ビームの通過部分に設けられた反射防止コート層を有することを特徴とするホログラフィック記録媒体。
【請求項１１】
断面がほぼ直角２等辺３角形で、３角柱形状の第１の基板における斜面にホログラフィック記録材料からなる記録層を形成する工程と、
前記第１の基板と同一形状の第２の基板を、その斜面が、前記第１の基板における斜面との間に、前記記録層を挟み込むように取り付けて、６面体のホログラムセルを形成する工程と、
複数の前記ホログラムセルを前記記録層が平行となるように並べて一体化する工程と、
を有してなるホログラフィック記録媒体の製造方法。
【請求項１２】
請求項１１において、
前記第１及び第２の基板の長さと、直角２等辺３角形における直交する２辺の長さとが等しくされていて、これらが前記ホログラムセルが立方体となるように接合することを特徴とするホログラフィック記録媒体の製造方法。
【請求項１３】
請求項１１において、
前記第１及び第２の基板及び記録層の長さを、前記ホログラフィック記録媒体の一辺の長さと等しくして、前記ホログラフィック記録媒体の一対の端面を、前記第１及び第２の基板の軸方向両端面により構成することを特徴とするホログラフィック記録媒体の製造方法。
【請求項１４】
断面がほぼ直角２等辺３角形の第１の３角柱基板における斜面にホログラフィック記録材料からなる記録層を形成する工程と、
頂角が約４５°及び約１３５°で、前記直角２等辺３角形の斜辺と等しい長さの一対の平面を有する断面平行４辺形の第１の４角柱基板を、前記一対の平面のうち一方の平面と前記斜面との間に、前記記録層を挟み込むように取り付ける工程と、
前記一対の平面の他方の平面にホログラフィック記録材料からなる第２の記録層を形成する工程と、
前記第１の４角柱基板と同一形状の第２の４角柱基板を、その一方の平面と前記第１の４角柱基板の他方の平面との間に前記第２の記録層を挟み込むように取り付ける工程と、
前記と同様にして、記録層の形成及び４角柱基板の取付けを繰り返し、第Ｎの４角柱基板を取付け及び記録層を形成する工程と、
前記第Ｎの記録層を第Ｎの４角柱基板との間で挟み込むように、前記第１の３角柱基板と同一形状の第２の３角柱基板を取付ける工程と、
を有してなるホログラフィック記録媒体の製造方法。
【請求項１５】
請求項１４において、
前記第１、第２の３角柱基板及び第１〜第Ｎの４角柱基板の軸線方向の長さを、前記ホログラフィック記録媒体の一辺の長さと等しくして、前記第１、第２の３角柱基板及び第１〜第Ｎの４角柱基板の軸線方向の両端が、一対の端面を形成するように組立てることを特徴とするホログラフィック記録媒体の製造方法。
【請求項１６】
請求項１１乃至１５のいずれかにおいて、
前記記録層を一層形成する毎に、該記録層に情報をホログラフィック記録してホログラムを形成する工程を有することを特徴とするホログラフィック記録媒体の製造方法。
【発明の詳細な説明】
【技術分野】
【０００１】
この発明は、ホログラフィック記録媒体及びその製造方法に関する。
【背景技術】
【０００２】
大容量のディジタル情報を保存できるストレージ技術の１つとして、ホログラフィックメモリがある。
【０００３】
このホログラフィックメモリは、高速大容量であるという点で優れているが、ホログラフィックメモリのシステムが大型且つ高価となるという問題点がある。
【０００４】
これは、記録時に用いるレーザ光に、可干渉性と波長安定性とが要求されるため、レーザ光源が大型且つ高価になってしまうためである（例えば特許文献１）。
【０００５】
【特許文献１】特開２００２−２０７４１２号公報
【発明の開示】
【発明が解決しようとする課題】
【０００６】
上記のようなホログラフィックメモリのシステムにおいて、レーザ光源が大型且つ高価であることから、これを複数設けることが困難であり、従って、ホログラフィックメモリは、単一の光源からのレーザ光によって、順次照射して、情報を再生することになり、再生データレートが限定されてしまうという問題点があった。
【０００７】
この発明は、上記問題点に鑑みてなされたものであって、安価なレーザダイオードを複数用いて、同時に複数箇所でホログラムセルを照射し、情報を再生して、再生データレートを大幅に向上できるようにしたホログラフィック記録媒体及びその製造方法を提供することを目的とする。
【課題を解決するための手段】
【０００８】
本発明者は、鋭意研究の結果、Ｘ軸方向を行、Ｙ軸方向を列とした２次元アレイ状に配列したホログラムセルからなり、各ホログラムセルに、Ｙ軸方向から信号光、Ｚ軸方向から参照光を照射してホログラムを形成しておいたホログラフィック記録媒体に対して、同様の２次元アレイ状に配列された複数のレーザダイオードのうち、各行について１個のレーザダイオードからＺ軸方向に、同時に再生用参照光を照射して、複数の撮像素子から同時に情報を再生すれば、再生データレートを大幅に向上できることが分かった。
【０００９】
即ち、以下の本発明により上記目的を達成することができる。
【００１０】
（１）Ｘ軸方向を行及びＹ軸方向を列として２次元アレイ状に配置された複数のホログラムセルからなり、各ホログラムセルは、Ｘ軸方向及びＺ軸方向の一方から再生用参照光を照射したときにＹ軸方向に回折光が発生するようにホログラムが形成され、且つ、Ｙ軸方向に隣接するホログラムセルからの回析光を透過するように構成されていることを特徴とするホログラフィック記録媒体。
【００１１】
（２）前記ホログラムセルは記録層を有し、この記録層は、前記Ｘ軸方向に沿って形成され、且つ、Ｙ軸方向及びＺ軸方向に対し約４５°の角度をなす平面状であることを特徴とする（１）に記載のホログラフィック記録媒体。
【００１２】
（３）前記ホログラムセルは記録層を有し、この記録層は、前記Ｚ軸方向に沿って形成され、且つ、Ｘ軸方向及びＹ軸方向に対し約４５°の角度をなす平面状であることを特徴とする（１）に記載のホログラフィック記録媒体。
【００１３】
（４）前記ホログラムセルは、６面体形状であって、断面が直角３角形の３角柱形状の一対の基板と、前記記録層とを有してなり、前記一対の基板は、直角３角形における斜辺が向き合うように配置され、且つ、前記記録層は、対向する前記斜辺を含む斜面の間に形成されていることを特徴とする（２）又は（３）に記載のホログラフィック記録媒体。
【００１４】
（５）頂角が約４５°及び約１３５°とされた平行４辺形断面の、複数の４角柱基板と、前記記録層とを有してなり、前記４角柱基板は、前記平行４辺形の平行な一対の平面が順次重なるように配置され、前記記録層は、前記重なる平面の間に配置されていることを特徴とする（２）又は（３）に記載のホログラフィック記録媒体。
【００１５】
（６）断面が直角２等辺３角形の２枚の３角柱基板を有してなり、前記複数の４角柱基板を、前記記録層が平行になるように連結された連結体の両端面の記録層を、前記直角２等辺３角形の斜辺を含む斜面と、前記４角柱基板の平面との間に挟み込むように、前記３角柱基板が取り付けられていることを特徴とする（５）に記載のホログラフィック記録媒体。
【００１６】
（７）前記基板は、断面が直角２等辺３角形状とされ、３角柱の軸方向の長さと、前記直角二等辺３角形における直交する２辺の長さとが等しくされていることを特徴とする（４）に記載のホログラフィック記録媒体。
【００１７】
（８）全体が６面体形状であり、前記４角柱基板の長さ方向両端面により、前記６面体の一対の端面が構成されていることを特徴とする（５）及び（６）に記載のホログラフィック記録媒体。
【００１８】
（９）前記各ホログラムセルには、予め情報がホログラフィック記録されてから、一体に組立てられていることを特徴とする（１）乃至（８）のいずれかに記載のホログラフィック記録媒体。
【００１９】
（１０）前記ホログラフィック記録媒体の外周における少なくとも記録及び再生時の光ビームの通過部分に設けられた反射防止コート層を有することを特徴とする（１）乃至（９）のいずれかに記載のホログラフィック記録媒体。
【００２０】
（１１）断面がほぼ直角２等辺３角形で、３角柱形状の第１の基板における斜面にホログラフィック記録材料からなる記録層を形成する工程と、前記第１の基板と同一形状の第２の基板を、その斜面が、前記第１の基板における斜面との間に、前記記録層を挟み込むように取り付けて、６面体のホログラムセルを形成する工程と、複数の前記ホログラムセルを前記記録層が平行となるように並べて一体化する工程と、を有してなるホログラフィック記録媒体の製造方法。
【００２１】
（１２）前記第１及び第２の基板の長さと、直角２等辺３角形における直交する２辺の長さとが等しくされていて、これらが前記ホログラムセルが立方体となるように接合することを特徴とする（１１）に記載のホログラフィック記録媒体の製造方法。
【００２２】
（１３）前記第１及び第２の３角柱基板及び記録層の長さを、前記ホログラフィック記録媒体の一辺の長さと等しくして、前記ホログラフィック記録媒体の一対の端面を、前記第１及び第２の基板の軸方向両端面により構成することを特徴とする（１１）に記載のホログラフィック記録媒体の製造方法。
【００２３】
（１４）断面がほぼ直角２等辺３角形の第１の３角柱基板における斜面にホログラフィック記録材料からなる記録層を形成する工程と、頂角が、約４５°及び約１３５°で、前記直角２等辺３角形の斜辺と等しい長さの一対の平面を有する断面平行４辺形の第１の４角柱基板を、前記一対の平面のうち一方の平面と前記斜面との間に、前記記録層を挟み込むように取り付ける工程と、前記一対の平面の他方の平面にホログラフィック記録材料からなる第２の記録層を形成する工程と、前記第１の４角柱基板と同一形状の第２の４角柱基板を、その一方の平面と前記第１の４角柱基板の他方の平面との間に前記第２の記録層を挟み込むように取り付ける工程と、前記と同様にして、記録層の形成及び４角柱基板の取付けを繰り返し、第Ｎの４角柱基板を取付け及び記録層を形成する工程と、前記第Ｎの記録層を第Ｎの４角柱基板との間で挟み込むように、前記第１の３角柱基板と同一形状の第２の３角柱基板を取付ける工程と、を有してなるホログラフィック記録媒体の製造方法。
【００２４】
（１５）前記第１、第２の３角柱基板及び第１〜第Ｎの４角柱基板の軸線方向の長さを、前記ホログラフィック記録媒体の一辺の長さと等しくして、前記第１、第２の３角柱基板及び第１〜第Ｎの４角柱基板の軸線方向の両端が、一対の端面を形成するように組立てることを特徴とする（１４）に記載のホログラフィック記録媒体の製造方法。
【００２５】
（１６）前記記録層を一層形成する毎に、該記録層に情報をホログラフィック記録してホログラムを形成する工程を有することを特徴とする（１０）乃至（１５）のいずれかに記載のホログラフィック記録媒体の製造方法。
【発明の効果】
【００２６】
本発明は、２次元アレイ状に配置されたホログラムセルによりホログラフィック記録媒体を構成したので、安価なレーザダイオードをアレイ状に配置して、ホログラムセルを同時に照射することによって複数の情報を同時に再生することができ、従って、高価な設備を用いることなく、再生データレートを大幅に向上させることができるという効果を有する。
【発明を実施するための最良の形態】
【００２７】
記録媒体は、Ｘ軸方向を行及びＹ軸方向を列として２次元アレイ状に配置された複数のホログラムセルからなる６面体形状であって、各ホログラムセルには、Ｚ軸方向から再生用参照光を照射したときにＹ軸方向に回折光が発生するようにホログラムが形成されている。又、ホログラムセルは、断面が直角２等辺３角形の３角柱状の２つの基板を、直角３角形における斜辺が向かい合うように配置し、その間にホログラフィック記録材料からなる記録層を形成している。
【実施例１】
【００２８】
以下図１を参照して本発明の実施例１に係るホログラフィック記録媒体１０について説明する。
【００２９】
このホログラフィック記録媒体１０は、Ｘ軸方向を行及びＹ軸方向を列として、Ａ行〜Ｄ行、１列〜８列の２次元アレイ状に配置された複数のホログラムセル１２から構成されている。
【００３０】
前記ホログラムセル１２は、図２に拡大して示されるように、立方体形状であって、断面が２等辺直角３角形の３角柱形状の一対の基板１４、１６と、その両者の間に挟み込まれた記録層１８とから構成されている。更に詳細には、前記一対の基板１４、１６は、直角３角形における斜辺が向き合うように配置され、前記記録層１８は、対向する前記斜辺を含む斜面１４Ａ、１６Ａの間に形成されている。前記基板１４の斜面１４Ａ、基板１６の斜面１６Ａ、及び記録層１８は、それぞれ接着剤等により一体的に接着されている。
【００３１】
前記基板１４、１６は、例えばポリカーボネイト等の光透過性樹脂から形成され、前記記録層１８は、例えば、スペーサ２０の間にフォトポリマー等のホログラフィック記録材料を塗布して形成されている。
【００３２】
前記のように、記録層１８が設けられているホログラムセル１２は、該記録層１８が平行となるように前述のように２次元アレイ状に配置して相互に接着固定されることにより、ホログラフィック記録媒体１０を構成している。又、各ホログラムセル１２は、Ｙ軸方向に隣接するホログラムセル１２からの回析光を透過するようにされている。
【００３３】
ここで、前記各ホログラムセル１２における記録層１８には、ホログラムセル１２を２次元アレイ状に配列して接着し一体とする前に、前記記録層１８に、図３に示されるように、例えば空間光変調器（図示省略）によってページデータが付与された信号光ＳｉをＹ軸方向から及び参照光ＲｅをＺ軸方向から、記録層１８と約４５°の角度で交差するように同時に照射して、予めホログラムを形成しておく。この場合、参照光の入射角度を変調して角度多重記録としたり、参照光を球面波とし、且つＹ軸方向及び／又はＸ軸方向にシフトしてシフト多重記録としてもよい。
【００３４】
上記のようにすると、Ｚ軸方向から目的のホログラムセル１２に再生用参照光を照射することによって、前記信号光Ｓｉの方向（Ｙ軸方向）に再生すべき情報を保持した回折光を得ることができる。
【００３５】
又、前記ホログラフィック記録媒体１０のＡ行〜Ｄ行の各行について１つのホログラムセル１２を、Ｚ軸方向から再生用参照光によって同時に照射すると、各行の端部からそれぞれ回折光を得ることができる。即ち、同時に４つのホログラムセル１２から回折光を得て、記録した情報を再生することができる。
【００３６】
図１の符号２２はＡＲ（反射防止）コート層を示す。このＡＲコート層２２は、前記ホログラムセル１２を被覆し、無用な散乱光によって良好な再生動作が阻害されたり、不要な回折格子が形成されることを防止するためのものである。この場合、ホログラムセル１２の少なくとも、記録用光ビーム及び再生用光ビームが通過する部分を被覆してもよく、又、ホログラムセル１２全体を被覆してもよい。又、ホログラムセル１２毎にはＡＲコート層を設けないで、全体にＡＲコート層２２を形成してもよい。
【実施例２】
【００３７】
前記ホログラムセル１２は、各々が立方体形状であるが、本発明はこれに限定されるものでなく、図４に示される実施例２のように、複数のホログラムセル１２を接続したと同様の長さのホログラムスティック２４としてもよい。
【００３８】
このホログラムスティック２４は３角柱形状の基板２６、２８及び両者の間の記録層２７からなり、これらは、完成したホログラフィック記録媒体１１のＸ軸方向の長さと等しくなるようにしておくと良い。これにより、ホログラフィック記録媒体１１のＸ軸方向の両端面がホログラムスティック２４の長手方向両端面２４Ａ、２４Ｂにより形成されることになる。ここで、各ホログラムセル１２間の境界はないが、前記ホログラムスティック２４においては、図４において、２点鎖線で仮想的に仕切られる列毎に記録あるいは再生が行なわれることになる。
【実施例３】
【００３９】
次に、図５に示される、本発明の実施例３に係るホログラフィック記録媒体３０について説明する。
【００４０】
このホログラフィック記録媒体３０は、７個の４角柱基板３２と２個の３角柱基板３４とを、記録層３６を間にして接着固定して形成したものである。
【００４１】
前記４角柱基板３２は、断面が約４５°及び約１３５°の頂角を有する平行４辺形とされ、又、３角柱基板３４は、断面が直角２等辺３角形とされている。前記記録層３６は、各４角柱基板３２の、平行な一対の平面の間及びこれらの平面３２Ａ、３２Ｂの一方と、３角柱基板３４における直角３角形の斜辺に相当する斜面３４Ａとの間に挟み込まれて一体的に形成されている。前記４角柱基板３２、３角柱基板３４及び記録層３６も、Ｘ軸方向の長さは、ホログラフィック記録媒体３０のＸ軸方向の長さと等しくされて、これによりホログラフィック記録媒体３０のＸ軸方向の両端面は、前記４角柱基板３２、３角柱基板３４のＸ軸方向の両端面３３Ａ、３３Ｂ、３５Ａ、３５Ｂにより構成されることになる。図５の符号３８はＡＲコート層を示す。
【実施例４】
【００４２】
次に、図６に示される本発明の実施例４に係るホログラフィック記録媒体４０について説明する。
【００４３】
このホログラフィック記録媒体４０は、前記ホログラフィック記録媒体１０と同様の大きさであって、例えば、ＬｉＮｂＯ3等の一体のフォトリフラクティブ結晶を用いて、ここに、明確には区画されていないが、前記ホログラフィック記録媒体１０と同様に、Ａ行〜Ｄ行、１列〜８列の８個のホログラムセル４２が構成されるようにしている。
【実施例５】
【００４４】
次に、上記実施例１のホログラムセル１２を製造する過程について図７を参照して説明する。
【００４５】
まず、３角柱形状の基板１４の斜面１４Ａに、スペーサ２０を取付け、その内側にフォトポリマー等のホログラフィック記録材料を塗布して、記録層１８を形成する（図７（Ａ）参照）。
【００４６】
次に、図７（Ｂ）に示されるように、他方の基板１６を、その斜面１６Ａにより、記録層１８を基板１４の斜面１４Ａと共に挟み込むようにして接着し一体的に固定する。
【００４７】
更に、図７（Ｃ）に示されるように、立方体形状となったホログラムセル１２の全体にＡＲコート層２２を形成する。
【００４８】
この状態で信号光をＹ軸方向から、又参照光をＺ軸方向からそれぞれ照射して、記録層１８に所定の情報をホログラムとして記録する。
【００４９】
このようにして形成され、且つホログラムが記録されたホログラムセル１２を、図７（Ｄ）に示されるように、順次、記録層１８が平行となるようにＸ軸方向及びＹ軸方向の２次元アレイ状に接着固定して、ホログラフィック記録媒体１０を形成する。
【実施例６】
【００５０】
次に、図８を参照して、前記ホログラフィック記録媒体３０の製造過程について説明する。
【００５１】
まず、図８（Ａ）に示されるように、３角柱基板３４を、その斜面３４Ａが上向きとなるようにセットし、その上に、第１の記録層３６Ａを塗布形成する。次に、図８（Ｂ）に示されるように、第１の４角柱基板３３Ａを、その平面３２Ａが斜面３４Ａとの間で第１の記録層３６Ａを挟み込むように、且つ正３角形における直交する２辺の一方に対して、平行４辺形の他の平面が連続するように重ね合わせて接着固定する。
【００５２】
次に、図８（Ｃ）に示されるように、第２の記録層３６Ｂを塗布形成するとともに、前述と同様に、第２の４角柱基板３３Ｂを第２の記録層３６Ｂに重ね（図８（Ｄ）参照）、このような過程を、第７の４角柱基板３３Ｇ及び第８の記録層３６Ｈまで繰り返し、最後の第８の記録層３６Ｈ上には、図８（Ｅ）に示されるように、３角柱基板３４を、その斜面３４Ａが第８の記録層３６Ｈを挟み込むようにして接着固定する。
【００５３】
必要であればＡＲコート層３８を形成して、ホログラフィック記録媒体３０の製造を終了する。
【実施例７】
【００５４】
前記実施例１〜３において、記録層は、Ｚ軸方向からの再生用参照光により、Ｙ軸方向に回折光が発生するようにしたものであるが、図９に示されるホログラフィック記録媒体５０におけるホログラムセル５２のように、Ｘ軸方向からの再生用参照光に対してＹ軸方向に回折光が発生するようにしてもよい。この場合、記録層５４は、Ｘ軸方向及びＹ軸方向に対して約４５°に形成する。
【００５５】
ホログラムに記録された情報を再生するときは、Ｘ軸方向から同一列のホログラムセル５２に再生用参照光を照射すると、各行における前記同一列のホログラムセル５２から回析光が同時に発生する。
【００５６】
なお、上記各実施例１〜３及び７において、記録層はいずれもＹ軸方向及びＺ軸方向あるいはＸ軸方向及びＹ軸方向に対して約４５°に形成されているが、本発明はこれに限定されるものでなく、Ｚ軸方向あるいはＸ軸方向からの再生用参照光の入射によって、Ｙ軸方向に回折光が発生するものであればよく、従って、記録層の角度は特に限定されるものではない。
【００５７】
但し、記録層を、上記のようにＹ軸方向とＺ軸方向とあるいはＸ軸方向とＹ軸方向とに対して約４５°とすると、製造が容易であり、又、記録時における信号光と参照光との光学的干渉を発生し易いという利点がある。
【００５８】
また、上記実施例において、ホログラムセルはＡ行〜Ｄ行、１列〜８列の合計３２個の２次元アレイ状に配列したものであるが、本発明はこれに限定されるものでなく、ホログラムセルは、Ｘ軸方向及びＹ軸方向にその数を限定されることなく、２次元アレイ状に配置されたものであれば良い。
【図面の簡単な説明】
【００５９】
【図１】本発明の実施例１に係るホログラフィック記録媒体を模式的に示す斜視図
【図２】同ホログラフィック記録媒体を構成するホログラムセル単体を模式的に示す斜視図
【図３】同ホログラムセルにホログラムを形成する状態を模式的に示す正面図
【図４】本発明の実施例２に係るホログラフィック記録媒体を構成するホログラムスティックを模式的に示す斜視図
【図５】本発明の実施例３に係るホログラフィック記録媒体を模式的に示す斜視図
【図６】本発明の実施例４に係るホログラフィック記録媒体を模式的に示す斜視図
【図７】実施例１に係るホログラムセルを製造する過程を模式的に示す斜視図
【図８】実施例７に係るホログラフィック記録媒体を製造する過程を模式的に示す正面図
【図９】実施例４に係るホログラムセルを模式的に示す斜視図
【符号の説明】
【００６０】
１０、１１、３０、４０、５０…ホログラフィック記録媒体
１２、４２、５２…ホログラムセル
１４、１６、２６、２８…基板
１４Ａ、１６Ａ…斜面
１８、２７、３６、５４…記録層
２０…スペーサ
２２、３８…ＡＲ（反射防止）コート層
２４…ホログラムスティック
３２…４角柱基板
３４…３角柱基板
３２Ａ、３２Ｂ…平面
３３Ａ…第１の４角柱基板
３３Ｂ…第２の４角柱基板
３３Ｇ…第７の４角柱基板
３４Ａ…斜面
３６Ａ…第１の記録層
３６Ｂ…第２の記録層
３６Ｈ…第８の記録層
【図１】
2005265978.tif 000003
【図２】
2005265978.tif 000004
【図３】
2005265978.tif 000005
【図４】
2005265978.tif 000006
【図５】
2005265978.tif 000007
【図６】
2005265978.tif 000008
【図７】
2005265978.tif 000009
【図８】
2005265978.tif 000010
【図９】
2005265978.tif 000011